【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
ディスプレイシステムであって、
複数の光パイプと、
光を前記複数の光パイプの中に放出するように構成される複数の光源と、
前記複数の光パイプから受信された光を変調し、画像を形成するように構成される空間光変調器と
を備え、
前記複数の光パイプの各々は、対向する第１の端部および第２の端部と、前記第１の端部から前記第２の端部まで延在する側壁とを備え、
前記第１の端部は、関連付けられた光源から光を受信するように構成される光入力表面を備え、
前記第２の端部は、前記空間光変調器へ光を出力するように構成される光出力表面を備え、
各光パイプは、前記空間光変調器上の、他の光パイプとは異なる場所上に、出力された光を局所化するように配向される、ディスプレイシステム。
【請求項２】
前記複数の光パイプの各々の前記光出力表面は、それぞれの光パイプの前記光入力表面より大きい面積を有する、請求項１に記載のディスプレイシステム。
【請求項３】
前記複数の光パイプのうちの少なくとも１つは、前記複数の光源のうちの対応する２つ以上に近接し、前記複数の光源のうちの前記対応する２つ以上から前記複数の光パイプのうちの前記少なくとも１つの光入力表面を通して光を受信するように構成される、請求項１に記載のディスプレイシステム。
【請求項４】
前記複数の光パイプの第１の光パイプは、第１の高さを前記第１の光パイプの光入力表面と光出力表面との間に有し、前記複数の光パイプの第２の光パイプは、第２の高さを前記第２の光パイプの光入力表面と光出力表面との間に有し、前記第１の高さは、前記第２の高さと異なる、請求項３に記載のディスプレイシステム。
【請求項５】
前記複数の光パイプの各々の前記光入力表面は、第１の幾何学形状を有し、関連付けられた光出力源は、前記第１の幾何学形状と異なる第２の幾何学形状を有する、請求項１に記載のディスプレイシステム。
【請求項６】
前記複数の光パイプは、各々、関連付けられた内側幅を有する、請求項５に記載のディスプレイシステム。
【請求項７】
前記内側幅は、光パイプの長さ全体を通して変動する、請求項６に記載のディスプレイシステム。
【請求項８】
前記複数の光源のうちの前記対応する２つ以上の各々は、異なる波長範囲の光を放出するように構成される、請求項３に記載のディスプレイシステム。
【請求項９】
前記複数の光パイプのうちの少なくとも１つは、光再指向特徴を光入力端部に備える、請求項３に記載のディスプレイシステム。
【請求項１０】
前記光再指向特徴は、拡散器、格子、およびプリズムのうちの１つまたは複数を備える、請求項９に記載のディスプレイシステム。
【請求項１１】
導波管のスタックをさらに備え、各導波管は、光を前記空間光変調器から受信するように構成される光内部結合光学要素を備え、
１つまたは複数の第１の導波管の光内部結合光学要素は、前記スタックの中への光の伝搬軸に沿った方向から視認される平面図に見られるように、２つ以上の他の導波管の光内部結合光学要素から空間的にオフセットされ、
前記２つ以上の他の導波管の少なくとも２つのものの光内部結合光学要素は、前記平面図に見られるように、少なくとも部分的に重複する、請求項３に記載のディスプレイシステム。
【請求項１２】
前記２つ以上の他の導波管の少なくとも２つのものの光内部結合光学要素は、前記複数の光源のうちの対応する２つ以上のものの異なるものからの光を内部結合するように構成され、
前記２つ以上の他の導波管の少なくとも２つのものの光内部結合光学要素は、前記２つ以上の他の導波管の少なくとも２つのものの光内部結合光学要素のいずれも、前記２つ以上の他の導波管の中に内部結合されるべき光を伝送する光パイプ上で心合されないように、相互に対して側方に偏移される、請求項１１に記載のディスプレイシステム。
【請求項１３】
前記導波管のスタックの各導波管は、前記導波管のスタックの１つまたは複数の他の導波管と比較して異なる発散量を伴う内部結合される光を出力するように構成される光外部結合光学要素を備える、請求項１２に記載のディスプレイシステム。
【請求項１４】
前記複数の光パイプのうちの２つ以上は、光学的に透過性の材料の一体型部品の一部である、請求項１に記載のディスプレイシステム。
【請求項１５】
前記複数の光パイプは全て、前記光学的に透過性の材料の一体型部品の一部である、請求項１４に記載のディスプレイシステム。
【請求項１６】
１つまたは複数の光源は、他の光源と異なる波長の光を放出するように構成される、請求項１に記載のディスプレイシステム。
【請求項１７】
前記複数の光源は、光源のグループを形成し、各グループは、異なる波長範囲の光を放出する、請求項１６に記載のディスプレイシステム。
【請求項１８】
前記複数の光源は、光源の３つのグループを形成し、前記グループの第１のものは、赤色光を放出し、前記グループの第２のものは、緑色光を放出し、前記グループの第３のものは、青色光を放出する、請求項１７に記載のディスプレイシステム。
【請求項１９】
１つまたは複数の光パイプは、他の光パイプと異なる高さを有する、請求項１６に記載のディスプレイシステム。
【請求項２０】
前記光パイプの高さは、前記光パイプに対応する光源によって放出される光の波長に応じて変動する、請求項１９に記載のディスプレイシステム。
【請求項２１】
前記光パイプの高さは、対応する光源によって放出される光の平均波長が増加するにつれて増加する、請求項２０に記載のディスプレイシステム。
【請求項２２】
前記空間光変調器は、液晶ディスプレイ（ＬＣＤ）またはデジタル光処理（ＤＬＰ）ディスプレイを備える、請求項１に記載のディスプレイシステム。
【請求項２３】
拡散器を前記光パイプの光出力端部にさらに備える、請求項１に記載のディスプレイシステム。
【請求項２４】
前記複数の光パイプの各々の間の光漏出をブロックするように構成されるバッフルをさらに備える、請求項１に記載のディスプレイシステム。
【請求項２５】
前記複数の光パイプのうちの１つまたは複数は、他の光パイプと異なる最大幅を有する、請求項１に記載のディスプレイシステム。
【請求項２６】
前記複数の光源は、青色光エミッタを備え、
蛍光物質および量子ドットのうちの１つまたは複数を備える色変換フィルムであって、前記蛍光物質および量子ドットのうちの１つまたは複数は、青色光を受信し、別の色の光を放出するように構成される、色変換フィルムをさらに備える、請求項１に記載のディスプレイシステム。
【請求項２７】
前記色変換フィルムは、前記複数の光パイプのうちの１つまたは複数のものの表面上にある、請求項２６に記載のディスプレイシステム。
【請求項２８】
導波管のスタックをさらに備え、各導波管は、前記空間光変調器から光を受信するように構成される光内部結合光学要素を備える、請求項１に記載のディスプレイシステム。
【請求項２９】
各導波管の光内部結合光学要素は、前記スタックの中への光の伝搬軸に沿った方向から視認される平面図に見られるように、他の導波管の光内部結合光学要素から空間的にオフセットされる、請求項２８に記載のディスプレイシステム。
【請求項３０】
平面図に見られるように、前記光パイプの光出力端部の空間配列は、前記光内部結合光学要素の空間配列と１対１で対応する、請求項２９に記載のディスプレイシステム。
【請求項３１】
前記導波管のスタックの各導波管は、前記導波管のスタックの他の導波管のうちの１つまたは複数と比較して、異なる発散量を伴う光を出力するように構成される光外部結合光学要素を備える、請求項２８に記載のディスプレイシステム。
【請求項３２】
前記複数の光パイプは、プラスチックまたはガラスを備える、請求項１に記載のディスプレイシステム。
【請求項３３】
光源と光パイプとの間に介在されるプリズムをさらに備える、請求項１に記載のディスプレイシステム。
【請求項３４】
ディスプレイシステムであって、
部分的に透過性の反射体と、
第１の光源と、
前記第１の光源に近接している第１の光パイプであって、前記第１の光パイプは、
前記第１の光パイプから光を受信することと、
前記第１の光源からの光を前記反射体に第１の方向に指向させることと
を行うように構成される、第１の光パイプと、
第２の光源と、
前記第２の光源に近接している第２の光パイプであって、前記第２の光パイプは、
前記第２の光パイプから光を受信することと、
前記第２の光源からの光を前記反射体に第２の方向に指向させることと
を行うように構成される、第２の光パイプと
を備え、
前記部分的に透過性の反射体は、
前記第１の光源からの光を伝送することと、
前記第２の光源からの光を反射させることと
を行うように構成され、
前記複数の光パイプの各々は、対向する第１の端部および第２の端部と、前記第１の端部から前記第２の端部まで延在する側壁とを備え、
前記第１の端部は、関連付けられた光源から光を受信するように構成される光入力表面を備え、
前記第２の端部は、前記空間光変調器へ光を出力するように構成される光出力表面を備え、
各光パイプは、前記空間光変調器上の、他の光パイプとは異なる場所上に、出力された光を局所化するように配向される、ディスプレイシステム。
【請求項３５】
前記第１の光源からの光は、前記第２の光源からの光と異なる波長範囲を有する、請求項３４に記載のディスプレイシステム。
【請求項３６】
前記部分的に透過性の反射体は、ダイクロイックミラーである、請求項３４に記載のディスプレイシステム。
【手続補正２】
【補正対象書類名】明細書
【補正対象項目名】０００８
【補正方法】変更
【補正の内容】
【０００８】
さらに他の実施形態では、光学デバイスを形成するための方法が、提供される。本方法は、粗面化された側壁表面を伴う光パイプを形成するステップと、光パイプを光エミッタに結合するステップと、光パイプおよび光エミッタを備えるアセンブリを空間光変調器に結合するステップとを含む。
本発明は、例えば、以下を提供する。
（項目１）
ディスプレイシステムであって、
複数の光パイプと、
光を前記光パイプの中に放出するように構成される複数の光源と、
前記光パイプから受信された光を変調し、画像を形成するように構成される空間光変調器と
を備える、ディスプレイシステム。
（項目２）
各光パイプは、前記光源のうちの対応する１つに近接し、そこから光を受信するように構成される、項目１に記載のディスプレイシステム。
（項目３）
前記光パイプのうちの少なくとも１つは、前記光源のうちの対応する２つまたはそれを上回るものに近接し、そこから前記光パイプのうちの少なくとも１つの光入力表面を通して光を受信し、光を光出力表面から出力するように構成される、項目１に記載のディスプレイシステム。
（項目４）
前記複数の光パイプの第１の光パイプは、第１の高さを前記第１の光パイプの光入力表面と光出力表面との間に有する、項目３に記載のディスプレイシステム。
（項目５）
前記複数の光パイプの第２の光パイプは、第２の高さを前記第２の光パイプの光入力表面と光出力表面との間に有し、前記第１の高さは、前記第２の高さと異なる、項目４に記載のディスプレイシステム。
（項目６）
前記光入力表面は、第１の幾何学形状を有し、前記光出力源は、前記第１の幾何学形状と異なる第２の幾何学形状を有する、項目３に記載のディスプレイシステム。
（項目７）
前記複数の光パイプはそれぞれ、関連付けられた内側幅を有する、項目６に記載のディスプレイシステム。
（項目８）
前記内側幅は、光パイプの長さ全体を通して変動する、項目７に記載のディスプレイシステム。
（項目９）
前記光源のうちの対応する２つまたはそれを上回るもののそれぞれは、異なる波長範囲の光を放出するように構成される、項目３に記載のディスプレイシステム。
（項目１０）
前記光パイプのうちの少なくとも１つは、光再指向特徴を前記光入力表面に備える、項目３に記載のディスプレイシステム。
（項目１１）
前記光再指向特徴は、拡散器、格子、およびプリズムのうちの１つまたはそれを上回るものを備える、項目１０に記載のディスプレイシステム。
（項目１２）
導波管のスタックをさらに備え、各導波管は、光を前記空間光変調器から受信するように構成される光内部結合光学要素を備え、
１つまたはそれを上回る第１の導波管の光内部結合光学要素は、平面図に見られるように、前記スタックの中への光の伝搬軸に沿った方向から視認されると、２つまたはそれを上回る他の導波管の光内部結合光学要素から空間的にオフセットされ、
前記２つまたはそれを上回る他の導波管の少なくとも２つのものの光内部結合光学要素は、前記平面図に見られるように、少なくとも部分的に重複する、
項目３に記載のディスプレイシステム。
（項目１３）
前記２つまたはそれを上回る他の導波管の少なくとも２つのものの光内部結合光学要素は、前記光源のうちの対応する２つまたはそれを上回るものの異なるものからの光を内部結合するように構成され、
前記２つまたはそれを上回る他の導波管の少なくとも２つのものの光内部結合光学要素は、前記２つまたはそれを上回る他の導波管の少なくとも２つのものの光内部結合光学要素のいずれも、前記２つまたはそれを上回る他の導波管の中に内部結合されるべき光を伝送する光パイプ上で心合されないように、相互に対して側方に偏移される、
項目１２に記載のディスプレイシステム。
（項目１４）
前記導波管のスタックの各導波管は、前記導波管のスタックの１つまたはそれを上回る他の導波管と比較して異なる発散量を伴う内部結合される光を出力するように構成される光外部結合光学要素を備える、項目１３に記載のディスプレイシステム。
（項目１５）
前記光パイプのうちの２つまたはそれを上回るものは、光学的に透過性の材料の一体型部品の一部である、項目１に記載のディスプレイシステム。
（項目１６）
前記複数の光パイプは全て、前記光学的に透過性の材料の一体型部品の一部である、項目１５に記載のディスプレイシステム。
（項目１７）
１つまたはそれを上回る光源は、他の光源と異なる波長の光を放出するように構成される、項目１に記載のディスプレイシステム。
（項目１８）
前記光源は、光源のグループを形成し、各グループは、異なる波長範囲の光を放出する、項目１７に記載のディスプレイシステム。
（項目１９）
前記光源は、光源の３つのグループを形成し、前記グループの第１のものは、赤色光を放出し、前記グループの第２のものは、緑色光を放出し、前記グループの第３のものは、青色光を放出する、項目１８に記載のディスプレイシステム。
（項目２０）
１つまたはそれを上回る光パイプは、他の光パイプと異なる高さを有する、項目１７に記載のディスプレイシステム。
（項目２１）
前記光パイプの高さは、前記光パイプに対応する光源によって放出される光の波長に応じて変動する、項目２０に記載のディスプレイシステム。
（項目２２）
前記光パイプの高さは、対応する光源によって放出される光の平均波長が増加するにつれて増加する、項目２１に記載のディスプレイシステム。
（項目２３）
前記空間光変調器は、液晶ディスプレイ（ＬＣＤ）またはデジタル光処理（ＤＬＰ）ディスプレイを備える、項目１に記載のディスプレイシステム。
（項目２４）
拡散器を前記光パイプの光出力端部にさらに備える、項目１に記載のディスプレイシステム。
（項目２５）
前記光パイプのそれぞれ間の光漏出をブロックするように構成されるバッフルをさらに備える、項目１に記載のディスプレイシステム。
（項目２６）
前記光パイプのうちの１つまたはそれを上回るものは、他の光パイプと異なる最大幅を有する、項目１に記載のディスプレイシステム。
（項目２７）
前記光源は、青色光エミッタを備え、
蛍光物質および量子ドットのうちの１つまたはそれを上回るものを備える色変換フィルムであって、前記蛍光物質および量子ドットのうちの１つまたはそれを上回るものは、青色光を受信し、別の色の光を放出するように構成される、色変換フィルム
をさらに備える、項目１に記載のディスプレイシステム。
（項目２８）
前記色変換フィルムは、前記光パイプのうちの１つまたはそれを上回るものの表面上にある、項目２７に記載のディスプレイシステム。
（項目２９）
導波管のスタックをさらに備え、各導波管は、前記空間光変調器から光を受信するように構成される光内部結合光学要素を備える、項目１に記載のディスプレイシステム。
（項目３０）
各導波管の光内部結合光学要素は、平面図に見られるように、前記スタックの中への光の伝搬軸に沿った方向から視認されると、他の導波管の光内部結合光学要素から空間的にオフセットされる、項目２９に記載のディスプレイシステム。
（項目３１）
平面図に見られるように、前記光パイプの光出力端部の空間配列は、前記光内部結合光学要素の空間配列と１対１で対応する、項目３０に記載のディスプレイシステム。
（項目３２）
前記導波管のスタックの各導波管は、前記導波管のスタックの他の導波管のうちの１つまたはそれを上回るものと比較して、異なる発散量を伴う光を出力するように構成される光外部結合光学要素を備える、項目２９に記載のディスプレイシステム。
（項目３３）
前記光パイプは、プラスチックまたはガラスを備える、項目１に記載のディスプレイシステム。
（項目３４）
光源と光パイプとの間に介在されるプリズムをさらに備える、項目１に記載のディスプレイシステム。
（項目３５）
ディスプレイシステムであって、
部分的に透過性の反射体と、
第１の光源と、
前記第１の光源に近接している第１の光パイプであって、
前記第１の光パイプから光を受信することと、
前記光を前記第１の光源から前記反射体に第１の方向に指向させることと
を行うように構成される、第１の光パイプと、
第２の光源と、
前記第２の光源に近接している第２の光パイプであって、
前記第２の光パイプから光を受信することと、
前記光を前記第２の光源から前記反射体に第２の方向に指向させることと
を行うように構成される、第２の光パイプと
を備え、前記部分的に透過性の反射体は、
光を前記第１の光源から伝送することと、
光を前記第２の光源から反射させることと
を行うように構成される、ディスプレイシステム。
（項目３６）
前記第１の光源からの光は、前記第２の光源からの光と異なる波長範囲を有する、項目３５に記載のディスプレイシステム。
（項目３７）
前記部分的に透過性の反射体は、ダイクロイックミラーである、項目３５に記載のディスプレイシステム。
（項目３８）
光学デバイスを形成するための方法であって、前記方法は、
粗面化された側壁表面を伴う光パイプを形成するステップと、
前記光パイプを光エミッタに結合するステップと、
前記光パイプおよび前記光エミッタを備えるアセンブリを空間光変調器に結合するステップと
を含む、方法。
（項目３９）
前記粗面化された側壁表面を伴う光パイプを形成するステップは、前記光パイプを研磨処理に曝すステップを含む、項目３８に記載の方法。
（項目４０）
前記研磨処理は、機械的研削プロセスである、項目３８に記載の方法。
（項目４１）
前記粗面化された側壁表面を伴う光パイプを形成するステップは、前記光パイプを粗面化された内部表面を備える金型内で形成するステップを含む、項目３８に記載の方法。前記光パイプを前記光エミッタに結合するステップは、前記光パイプの光入力表面を３つの複数の光エミッタに結合するステップを含む、項目３８に記載の方法。
（項目４２）
前記光パイプおよび前記光エミッタを備えるアセンブリを偏光ビームスプリッタに結合するステップをさらに含み、前記アセンブリ内の空間光変調器は、前記偏光ビームスプリッタの異なる表面に面して配置される、項目３８に記載の方法。
（項目４３）
前記アセンブリは、複数の光パイプを複数の光エミッタ内に備える、項目３８に記載の方法。